【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
光起電力素子の導電性表面に接触する電極装置であって、
前記電極装置は、電気的に絶縁性があり光学的に透明な膜と、
前記膜の１つの平面的表面上に設けられた接着剤層と、
前記接着剤層に埋め込まれ実質的に平行で導電性を有する複数のワイヤとを含み、
前記複数のワイヤは前記膜の平面的表面上に設けられ、前記接着剤層は前記接着剤層に埋め込まれた前記ワイヤの厚みより厚くない厚みを持ち、
前記複数のワイヤの一部は前記接着剤層から突き出し、そして
少なくとも前記複数のワイヤの表面のうち前記接着層から突出している部分は、低融点の合金からなるコーティングで覆われ、
前記複数のワイヤが前記導電性表面と第１の端子バーに半田付けされる前記電極装置。
【請求項２】
請求項１記載の電極装置において、さらに実質的に相互に平行に並び、前記接着剤層に埋め込まれた前記複数のワイヤと略直角方向に延伸し、ワイヤメッシュを形成する外側の複数のワイヤを有し、前記複数の外側のワイヤは、第２の端子バーに半田付けされる前記電極装置。
【請求項３】
請求項２記載の電極装置において、前記第１と前記第２の端子バーは、相互に電気的に接続される前記電極装置。
【請求項４】
請求項２に記載の電極装置において、前記端子バーは、前記接着剤層に埋め込まれた前記複数のワイヤと前記外側の複数のワイヤのそれぞれの端部に設けられる前記電極装置。
【請求項５】
請求項４記載の電極装置において、前記端子バーは、前記光起電力素子の外側に設置される前記電極装置。
【請求項６】
請求項５に記載の電極装置において、前記端子バーは、接続するため光起電力素子２つの長さに延伸し、その中央にステップが設けられ、複数の端子バーが共に、一列を形成し、端子バーの半分は、それぞれ、隣接する端子バーの下半分の上あるいは上半分の下になるように配列され、前記端子バーの間には、絶縁膜が設けられている前記電極装置。
【請求項７】
請求項１に記載の電極装置において、前記接着剤層に埋め込まれた前記複数のワイヤは前記膜の長手方向に略並行に延伸する前記電極装置。
【請求項８】
請求項１に記載の電極装置において、前記接着剤層に埋め込まれた前記複数のワイヤは前記膜の長手方向に略直角に延伸する前記電極装置。
【請求項９】
請求項２に記載の電極装置において、前記外側の複数のワイヤは前記膜の長手方向に略並行に延伸する前記電極装置。
【請求項１０】
請求項２に記載の電極装置において、前記外側の複数のワイヤは前記接着剤層に埋め込まれた前記複数のワイヤに半田付けされる前記電極装置。
【請求項１１】
請求項２に記載の電極装置において、前記外側の複数のワイヤは前記接着剤層に埋め込まれた部分を有する前記電極装置。
【請求項１２】
請求項１に記載の電極装置において、前記接着剤層は前記接着剤層に埋め込まれた前記ワイヤの厚みより厚くない厚みを持つ前記電極装置。
【請求項１３】
請求項１に記載の電極装置において、さらに前記接着剤層は前記接着剤層に埋め込まれた前記ワイヤと電気的に半田付けされ、前記複数のワイヤを横切るよう延伸する前記第１のターミナルバーを有する前記電極装置。
【請求項１４】
請求項１に記載の電極装置において、前記膜は引き伸ばされることと、前記接着剤層を保持することに十分な厚みで、弾力性を持つには十分薄い厚みを有する前記電極装置。
【請求項１５】
請求項１に記載の電極装置において、前記膜は略１０マイクロメータから略５０マイクロメータの間の厚みを有する前記電極装置。
【請求項１６】
請求項１に記載の電極装置において、前記コーティングは前記複数のワイヤの全表面にあり、前記光起電力素子の前記導電性表面に半田付けされる前記電極装置。
【請求項１７】
光起電力素子の導電性表面に接触する電極装置であって、
前記電極装置は、電気的に絶縁性があり光学的に透明な膜と、
前記膜の１つの平面的表面上に設けられた接着剤層と、
前記接着剤層に埋め込まれ実質的に平行で導電性を有し長手方向の表面を有する複数のワイヤとを含み、
前記複数のワイヤは前記膜の平面的表面上に渡って横たわり、前記接着剤層は前記接着剤層に埋め込まれた前記ワイヤの厚みより厚くない厚みを持ち、
前記ワイヤの長手方向の表面の一部は前記接着剤層から突き出し、そして
少なくとも前記ワイヤの表面のうち前記接着層から突出している部分は、低融点の合金からなるコーティングで覆われ、
前記複数のワイヤが前記導電性表面に半田付けされる前記電極装置。
【請求項１８】
光起電力素子の導電性表面に接触する電極装置であって、
前記電極装置は、電気的に絶縁性があり光学的に透明で平面的表面な膜と、
前記平面的表面上に設けられた接着剤層と、
前記平面的表面上に置かれ、前記接着剤層に埋め込まれ実質的に平行で導電性を有する複数のワイヤとを含み、
前記複数のワイヤは前記膜の平面的表面上に設けられ、前記接着剤層は前記接着剤層に埋め込まれた前記ワイヤの厚みより厚くない厚みを持ち、
前記複数のワイヤの表面の一部は前記接着剤層から突き出し、そして
前記接着剤層から突き出している前記複数のワイヤの表面の前記一部が前記光起電力素子の導電性表面とオーム接触するためのオーム接触手段を含み、
前記接着剤層は前記膜を前記光起電力素子の導電性表面に接着固定し、前記オーム接触手段は前記接着剤層から突き出している前記複数のワイヤの表面の前記一部と前記光起電力素子の導電性表面とをオーム接触する
前記電極装置。
【請求項１９】
請求項１８記載の電極装置において、前記オーム接触手段は、前記接着剤層から突き出している前記複数のワイヤの表面の前記一部上にコーティングを有し、前記コーティングは低融点の合金を有し、前記接着剤層から突き出している前記複数のワイヤの表面の前記一部と光起電力素子の導電性表面を半田付けする前記電極装置。
【請求項２０】
請求項１８に記載の電極装置において、前記膜は引き伸ばされることと、前記接着剤層を保持することに十分な厚みで、弾力性を持つには十分薄い厚みを有する前記電極装置。
【請求項２１】
請求項２０に記載の電極装置において、前記膜は略１０マイクロメータから略５０マイクロメータの間の厚みを有する前記電極装置。
【請求項２２】
請求項１８に記載の電極装置において、前記接着剤層に埋め込まれた前記複数のワイヤは前記膜の長手方向に略並行に延伸する前記電極装置。
【請求項２３】
請求項１８に記載の電極装置において、前記接着剤層に埋め込まれた前記複数のワイヤは前記膜の長手方向に略直角に延伸する前記電極装置。
【請求項２４】
請求項１８に記載の電極装置において、さらに第１のターミナルバーを有し、前記オーム接触手段は前記複数のワイヤと前記第１のターミナルバーをオーム接触する前記電極装置。
【請求項２５】
請求項２４に記載の電極装置において、前記ターミナルバーは第１、第２のメタルフレームと前記第１、第２のメタルフレームの間に絶縁膜を有する前記電極装置。
【請求項２６】
請求項２４に記載の電極装置において、前記第１のターミナルバーが前記接着剤層に埋め込まれた前記ワイヤを横切るよう延伸する前記電極装置。
【請求項２７】
請求項１８に記載の電極装置において、さらに第１のターミナルバーを前記膜上に有し、前記第１のターミナルバーは、前記接着剤層に埋め込まれた前記ワイヤに略平行に延伸する長手部分と前記長手部分に接続され隣り合う前記長手部分の間にそれぞれ光起電力素子を受け入れることが出来るよう十分間隔を空けた複数の間隔を空けた横断部分を有し、前記オーム接触手段は前記接着剤層から突き出している前記複数のワイヤの表面の前記一部と前記横断部分とをオーム接触する前記電極装置。
【請求項２８】
請求項１８に記載の電極装置において、さらに実質的に相互に平行に並び、前記接着剤層に埋め込まれた前記複数のワイヤと略直角方向に延伸する外側の複数のワイヤを有する前記電極装置。
【請求項２９】
請求項２８に記載の電極装置において、前記外側の複数のワイヤは前記接着剤層に埋め込まれた部分を有する前記電極装置。
【請求項３０】
請求項２８記載の電極装置において、さらに前記外側の複数のワイヤ上に第２のオーム接触手段を有し、前記第２のオーム接触手段は前記外側の複数のワイヤと光起電力素子の導電性表面を半田付けする前記電極装置。
【請求項３１】
請求項３０に記載の電極装置において、前記第１、第２のオーム接触手段のうち少なくとも１つは前記接着剤層に埋め込まれた前記複数のワイヤと前記外側の複数のワイヤとをオーム接触する前記電極装置。
【請求項３２】
請求項３１に記載の電極装置において、前記第２のオーム接触手段は前記外側の複数のワイヤ上に第２のコーティングを有し、前記コーティングは低融点の合金を有し、前記外側の複数のワイヤと前記光起電力素子の導電性表面とを半田付けする前記電極装置。
【請求項３３】
請求項３０に記載の電極装置において、前記膜の前記平面的表面上に第１のターミナルバーを有し、前記第１のターミナルバーは底辺と第１、第２の自由な足を持ち、前記第１のオーム接触手段は前記接着剤層に埋め込まれた前記複数のワイヤと前記底辺とをオーム接触し、前記第２のオーム接触手段は前記外側の複数のワイヤと前記第１、第２の自由足の少なくとも一方とをオーム接触する前記電極装置。
【請求項３４】
請求項３０に記載の電極装置において、さらに第１、第２のターミナルバーを有し、前記第１のオーム接触手段は前記接着剤層に埋め込まれた前記複数のワイヤと前記第１のターミナルバーをオーム接触し、前記第２のオーム接触手段は前記外側の複数のワイヤと前記第２のターミナルバーをオーム接触する前記電極装置。
【請求項３５】
請求項３４に記載の電極装置において、前記第１、第２のターミナルバーは互いに電気的に接続される前記電極装置。
【請求項３６】
請求項３４に記載の電極装置において、前記第１のターミナルバーは前記接着剤層に埋め込まれた前記複数のワイヤの端部に位置し、前記第２のターミナルバーは前記外側の複数のワイヤの端部に位置する前記電極装置。
【請求項３７】
請求項３４に記載の電極装置において、前記第１、第２のターミナルバーは前記光起電力素子の外周の外側に配置される前記電極装置。
【請求項３８】
請求項３４に記載の電極装置において、前記第１、第２のターミナルバーは互いにある角度で配置される前記電極装置。
【請求項３９】
請求項３０に記載の電極装置において、さらに角度を持って形成され第１、第２のターミナルバー部分を有するターミナルバーを有し、前記第１のオーム接触手段は前記接着剤層に埋め込まれた前記複数のワイヤと前記第１のターミナルバー部分とをオーム接触し、前記第２のオーム接触手段は前記外側の複数のワイヤと前記第２のターミナルバー部分とをオーム接触する前記電極装置。
【請求項４０】
光起電力システムであって、
閉フレームを構成し、開口領域を有するターミナルバー、
前記開口部にあり、第１の導電性表面を持つ第１の光起電力素子、そして
電極装置を含み、
前記電極装置は、電気的に絶縁性があり光学的に透明で平面的表面な膜と、
前記平面的表面上に設けられた接着剤層と、
前記平面的表面上に置かれ、前記接着剤層に埋め込まれ実質的に平行で導電性を有する複数のワイヤとを含み、
前記複数のワイヤは前記膜の平面的表面上に設けられ、前記接着剤層は前記接着剤層に埋め込まれた前記ワイヤの厚みより厚くない厚みを持ち、前記複数のワイヤの表面の一部は前記接着剤層から突き出し、そして
前記接着剤層から突き出している前記複数のワイヤの表面の前記一部が前記第１の光起電力素子の導電性表面とオーム接触し、前記ターミナルバーとオーム接触するための第１のオーム接触手段を含み、
前記接着剤層は前記膜を前記第１の導電性表面に接着固定し、前記オーム接触手段は前記接着剤層から突き出している前記複数のワイヤの表面の前記一部と前記光起電力素子の第１の導電性表面と前記ターミナルバーとをオーム接触する前記光起電力システム。
【請求項４１】
請求項４０に記載の光起電力システムあって、
前記ターミナルバーは第２の開口部を有し、さらに前記第２の開口部にあり、第２の導電性表面を持つ第２の光起電力素子を含み、
前記第１のオーム接触手段は、前記接着剤層から突き出している前記複数のワイヤの表面の前記一部と前記第２の光起電力素子の第２の導電性表面とをオーム接触する前記光起電力システム。
【請求項４２】
導電性表面に接触する、特に光起電力素子（ウェーハ３）の少なくとも１つの表面に接触する電極装置であって、
前記電極装置は、電気的に絶縁性があり光学的に透明な膜（１０）と、
前記膜（１０）の１つの表面上に設けられた接着剤層（１１）と、
前記接着剤層（１１）に埋め込まれ実質的に平行で導電性を有する第１の複数のワイヤ（５'）とを含み、
前記第１の複数のワイヤ（５'）の表面の一部は、接着剤層（１１）から突出し、
少なくとも前記第１の複数のワイヤ（５'）の表面のうち前記接着層（１１）から突出している部分は、低融点の合金からなるコーティング（２）で覆われ、
前記第１の複数のワイヤ（５'）が第１の端子バー（２０）に接続される前記電極装置。
【請求項４３】
請求項４２記載の電極装置において、実質的に相互に平行に並んでいる第２の複数のワイヤ（５”）は、透明な膜（１０）と前記第１の複数のワイヤ（５”）の間に配設され、前記第１と前記第２の複数のワイヤ（５'、５”）は、共にメッシュ（６）を形成し、前記第２の複数のワイヤ（５”）は、第２の端子バー（２２）に電気的に接続される前記電極装置。
【請求項４４】
請求項４３記載の電極装置において、前記第１と前記第２の端子バー（２０、２２）は、相互に電気的に接続される前記電極装置。
【請求項４５】
請求項４２から４４のいずれかに記載の電極装置において、前記端子バー（２０、２２）は、前記ワイヤ（５'、５”）のそれぞれの端部に設けられる前記電極装置。
【請求項４６】
請求項４５記載の電極装置において、前記端子バー（２０,２２）は、前記光起電力素子（ウェーハ３）の外側で、前記第１の複数のワイヤの両端あるいは前記第１と前記第２の複数のワイヤ（５'、５”）の両端に設けられ、前記端子バーの表面にワイヤ（５'、５”）が接続される前記電極装置。
【請求項４７】
請求項４２から４６のいずれかに記載の電極装置において、前記第１と前記第２の端子バーは、一定の角度を形成して接続される前記電極装置。
【請求項４８】
請求項４２から４６のいずれかに記載の電極装置において、前記端子バー（２０、２２）は、Ｕ型フレームとして形成され、複数の２つのワイヤの一方のワイヤ（５'）は、基部に接続され、他方のワイヤ（５”）は、Ｕ型フレームの自由端の足部に接続される前記電極装置。
【請求項４９】
請求項４６記載の電極装置であって、端子バー（３２）は、接続される２つの隣接した光起電力素子（３）の全長にわたって延伸し、その中央にステップが設けられ、複数の端子バー（３２）が共に、一列を形成し、端子バー（３２）の半分は、それぞれ、隣接する端子バーの下半分の上あるいは上半分の下になるように配列され、前記端子バー（３２）の間には、絶縁膜（１９）が設けられている前記電極装置。
【請求項５０】
請求項５に記載の電極装置であって、前記端子バーは、閉じたフレームとして形成され、前記フレーム（１７）の開口領域（窓）は、これに対応する光起電力素子（３）のサイズを超えている前記電極装置。
【請求項５１】
請求項４６に記載の電極装置であって、前記端子バーは、窓の開口領域が対応する光起電力素子（３）のサイズを超えている２つの隣接する窓を有するダブル・フレーム（１７）として形成される前記電極装置。
【請求項５２】
請求項５０または５１に記載の電極装置であって、前記フレーム（１７）は、２つの金属フレーム（１８）とその間に絶縁膜（１９）が設けられる前記電極装置。
【請求項５３】
請求項５１または５２に記載の電極装置であって、前記ダブル・フレーム（１７）の中央のバーにステップが設けられ、複数のフレーム（１７）が共に、一列を形成し、ダブル・フレーム（１７）の半分は、それぞれ、隣接するダブル・フレーム（１７）の下半分の上あるいは上半分の下になるように配列されてなる前記電極装置。
【請求項５４】
請求項５２または５３に記載の電極装置であって、ダブル・フレーム（２８）の中央のバーにスロット（３３）が設けられ、スロットは、前記ステップに平行に並び、ＰＶモジュールが完成すると、前記電極（１６）の横断ワイヤ（５'）が切断される前記電極装置。
【請求項５５】
請求項５０から５４のいずれかに記載の電極装置であって、金属バー（３１）は、前記フレームの少なくとも１つの窓に架かり、バー（３１）は、対応する金属フレーム（１８）と一体化して結合されている前記電極装置。
【請求項５６】
請求項４２から５５のいずれかに記載の複数の電極装置であって、前記電極は、エンドレス・ストリップとして形成され、光起電力モジュールを形成するために接続される隣接した光起電力素子（３）の配列の長さに相当する長さに切断され、前記ストリップの長手方向に並んだワイヤ（５'）は、光起電力電池の長さに相当する長さに切断される前記複数の電極装置。
【請求項５７】
請求項５６に記載の電極装置であって、エンドレス端子バー（２２）は、前記透明膜（１０）の端部のうちの少なくとも１つの端部に沿って設けられる電極装置。
【請求項５８】
請求項５７に記載の電極装置であって、前記透明膜（１０）の各端部に沿って櫛状のバー（２３）が配設され、それぞれの櫛状バーの歯（２５）は、２つの隣接した光起電力素子（３）の間の一方の側から前記第１の複数のワイヤ（５'）の幅にわたって延伸し、対応する光起電力素子（３）の上側と下側に交互に電気的に接続され、他方の表面から分離される前記電極装置。
【請求項５９】
請求項４２から５８のいずれかに記載の少なくとも１つの電極装置（１６）を含む光起電力電池または光起電力モジュールであって、少なくとも１つの表面に、導電性であり、反射防止された光学的に透明なコーティング（４）を施した１つ以上の光起電力素子（３）を有し、前記第１の複数のワイヤ（５'）が合金（２）を用いてコーティング（４）およびそれぞれの端子バー（２０）あるいは端子フレーム（１７）に半田付けされる前記光起電力電池または光起電力モジュール。
【請求項６０】
請求項４３に記載の電極装置（１６）を有する請求項１８に記載の光起電力電池または光起電力モジュールであって、前記第１と前記第２の複数のワイヤ（５'、５”）は、合金（２）を用いてそれらの交点において、それぞれの端子バーあるいは端子フレームに接合される前記光起電力電池または光起電力モジュール。